【事件の表示】
　特願２０１４−１４５５５８「遊技機」拒絶査定不服審判事件〔平成２６年１２月　４日出願公開、特開２０１４−２２３４５０〕について、次のとおり審決する。
【結　論】
　本件審判の請求は、成り立たない。
【理　由】
第１　手続の経緯
　本願は，平成２４年１月１３日に出願した特願２０１２−４８５８号の一部を平成２６年７月１６日に新たな特許出願としたものであって，平成２７年７月３０日付けで拒絶理由が通知され，それに対し，同年９月３０日に意見書及び手続補正書が提出されたが，平成２８年２月２２日付けで拒絶査定がなされ，それに対して，同年５月２４日に拒絶査定不服審判の請求がなされるとともに手続補正書が提出されたものである。
第２　平成２８年５月２４日付けの手続補正についての補正却下の決定
［補正却下の決定の結論］
　平成２８年５月２４日付けの手続補正（以下「本件補正」という。）を却下する。
［理由］
１．本件補正の概要
　本件補正は特許請求の範囲の請求項１〜２の記載を含む補正であり，平成２７年９月３０日付けの手続補正と本件補正の特許請求の範囲の請求項１の記載はそれぞれ，以下のとおりである（下線部は補正を示す。）。
（補正前：平成２７年９月３０日付けの手続補正）
「【請求項１】
　開始条件の成立に基づいて可変表示を行い，遊技者にとって有利な有利状態に制御可能な遊技機であって，
　前記遊技機における遊技を制御する遊技制御手段と，
　前記遊技制御手段からの情報に基づいて演出を制御する演出制御手段と，を備え，
　前記遊技制御手段は，
　前記可変表示の可変表示パターンを決定する可変表示パターン決定手段と，
　前記開始条件が成立していない前記可変表示について保留記憶として記憶する保留記憶手段と，
　前記開始条件が成立する以前に，前記可変表示に関する開始前情報を出力する開始前情報出力手段と，
　通常状態よりも前記有利状態に制御され易い特別状態に制御可能な状態制御手段と，を含み，
　前記可変表示パターン決定手段は，前記特別状態が終了するときに，前記特別状態が終了しないときとは異なる可変表示パターンに決定可能であり，
　前記演出制御手段は，
　前記開始前情報に基づいて，該開始前情報に対応した前記可変表示が所定の状態となる可能性を予告する予告演出を，該可変表示の前記開始条件が成立する以前に実行する予告演出実行手段と，
　前記開始前情報を正常に入力することができなかった場合に，前記予告演出を制限する予告演出制限手段と，を含む，
　ことを特徴とする遊技機。」
（補正後：本件補正：平成２８年５月２４日付け手続補正）
「【請求項１】
　開始条件の成立に基づいて可変表示を行い，遊技者にとって有利な有利状態に制御可能な遊技機であって，
　前記遊技機における遊技を制御する遊技制御手段と，
　前記遊技制御手段からの情報に基づいて演出を制御する演出制御手段と，を備え，
　前記遊技制御手段は，
　前記可変表示の可変表示パターンを決定する可変表示パターン決定手段と，
　前記開始条件が成立していない前記可変表示に
関する情報を
　前記開始条件が成立する以前に，前記可変表示に関する開始前情報を出力する開始前情報出力手段と，
　通常状態よりも前記有利状態に制御され易い特別状態に制御可能な状態制御手段と，を含み，
　前記可変表示パターン決定手段は，前記特別状態が終了するときに，前記特別状態が終了しないときとは異なる可変表示パターンに決定可能であり，
　前記演出制御手段は，
　前記開始前情報に基づいて，該開始前情報に対応した前記可変表示が所定の状態となる可能性を予告する予告演出を，該可変表示の前記開始条件が成立する以前に実行する予告演出実行手段と，
　前記開始前情報を正常に入力することができなかった場合に，前記予告演出を制限する予告演出制限手段と，を含
み
　
前記有利状態に制御されるときに前記予告演出を制限可能である
２．補正の適否
　補正前の請求項１に記載の「前記可変表示について保留記憶として記憶する」を，「前記可変表示に関する情報を保留記憶として記憶する」にする補正は，「可変表示について」「記憶する」対象を「可変表示に関する情報」に具体的に限定するものであるから，限定的減縮を目的とする補正である。
　また，補正前の請求項１に，「前記有利状態に制御されるときに前記予告演出を制限可能である」との記載を付加する補正は，補正前の「予告演出」と「有利状態」とを関連づけて，「演出制御手段」が「有利状態」に制御されるときに「予告演出」を制限可能であることを付加して限定するものであるから，限定的減縮を目的とする補正である。
　補正後の請求項１に記載された発明は，補正前の請求項１に記載された発明と，産業上の利用分野及び解決しようとする課題が同一である。
　したがって，本件補正は，特許法第１７条の２第５項第２号に規定する特許請求の範囲の減縮を目的とする補正に該当する。
　また，本件補正は，新規事項を追加するものではない。
３．独立特許要件
　そこで，本件補正後の請求項１に記載された発明（以下，「本願補正発明」という。）が特許出願の際独立して特許を受けることができるものであるか否か，すなわち，特許法第１７条の２第６項において準用する同法第１２６条第７項の規定に適合するか否か，について以下に検討する。
（１）刊行物に記載された事項
　原査定の拒絶理由に引用された本願の出願遡及日前に頒布された特開２０１１−１６０８４２号公報（以下，「刊行物」という。）には，図面とともに次の事項が記載されている（下線は当審で付した。）。
（ア）「【請求項１】
　所定の始動条件の成立に応じて
複数種類の識別情報を変動表示させ，
遊技者にとって有利な特定遊技状態に制御する遊技機であって，
　
遊技の進行を制御する
遊技制御手段と，
　
前記遊技制御手段から送信されたコマンドを受信し，
演出の実行を，該受信したコマンドに基づいて制御する演出制御手段とを備え，
　
前記遊技制御手段は，
　　前記始動条件が成立したときに，前記変動表示装置での
変動表示を行う権利を所定数まで記憶する保留記憶手段と，
　　前記始動条件が成立したときに，前記保留記憶手段に記憶された権利に基づいて実行される
変動表示における結果
を先読み予告するのに必要な所定の先読み情報を含む開始前先読みコマンドを送信する開始前コマンド送信手段とを備え，
　
前記演出制御手段は，
　　前記開始前先読みコマンドを受信したときに，該開始前先読みコマンドに含まれる先読み情報に基づいて，該開始前先読みコマンドに対応した変動表示における結果および／または経過を先読み予告するか否かを決定する非特定先読み予告決定手段と，
　　前記非特定先読み予告決定手段の決定結果に従って，前記開始前先読みコマンドに含まれる先読み情報に基づいて前記先読み予告を実行する非特定先読み予告実行手段と，
　　前記開始前コマンド送信手段から送信された開始前先読みコマンドを受信したときに，該開始前先読みコマンドが示す先読み情報を所定の記憶領域に記憶させる手段であって，各々の先読み情報を少なくとも対応する変動表示が開始されるまでは記憶させておく先読み情報記憶手段と，
　　予め定められた特定条件が成立したときに，前記先読み情報記憶手段により前記所定の記憶領域に記憶された前記先読み情報を参照して，該所定の記憶領域に記憶された先読み情報に対応した変動表示における結果および／または経過を先読み予告するか否かを決定する特定先読み予告決定手段と，
　　前記特定先読み予告決定手段の決定結果に従って，前記所定の記憶領域に記憶された前記
先読み情報に対応した変動表示における結果
を先読み予告する特定先読み予告実行手段を含む
　ことを特徴とする遊技機。
【請求項２】
　
前記遊技制御手段は，
　　前記保留記憶手段に記憶された権利により行う変動表示において特定遊技結果とするか否かを，該権利による表示結果を導出するよりも前に決定する特定決定手段と，
　　少なくとも前記特定決定手段の決定結果に応じて，前記識別情報の変動表示の表示結果が導出されるまでに前記変動表示装置において実行される
識別情報の変動パターンを
選択する変動パターン選択手段とを
備え，
　前記先読み情報は，前記特定決定手段により前記特定遊技結果とする旨が決定されるか否かを特定可能な特定決定情報と，前記変動パターン選択手段により選択される変動パターンが特定の変動パターンであるかを特定可能な変動選択情報とを含み，
　前記特定先読み予告決定手段は，前記特定遊技状態に制御されているときに，前記先読み情報に含まれる前記特定決定情報と前記変動選択情報との何れか一方に基づいて，前記先読み予告を実行するか否かを決定し，
　前記非特定先読み予告決定手段は，前記特定遊技状態に制御されていないときに，前記先読み情報に含まれる前記特定決定情報と前記変動選択情報との何れか他方に基づいて，前記先読み予告を実行するか否かを決定する
　ことを特徴とする請求項１に記載の遊技機。
【請求項３】
　
前記開始前コマンド送信手段は，
開始前権利数コマンドと，前記開始前先読みコマンドとを，それぞれ別個のコマンドとして順次送信し，
　
前記演出制御手段は，
　　
前記開始前権利数コマンドと前記開始前先読みコマンドとを
　　前記受信間隔判定手段により前記
所定の時間以内の間隔で受信していないと判定されたときに，前記開始前先読みコマンドに含まれる先読み情報に基づいて前記先読み予告決定手段が先読み予告を実行する旨を決定することを禁止する先読み予告禁止手段
を
備える
　ことを特徴とする請求項１または２に記載の遊技機。」
（イ）「【００１２】
　上記遊技機では，遊技の進行を制御する遊技制御手段と演出の実行を制御する演出制御手段とに分かれて制御手段が構成され，遊技の進行に応じて遊技制御手段から送信されるコマンドに基づいて演出制御手段により演出の実行が制御されるものとなっている。ここで，
遊技制御手段においては，始動条件が成立したときに，
先に成立した始動条件に基づく変動表示が実行されていない場合
を除いて
変動表示を行う権利が保留記憶手段に保留記憶されるが，このときに先読み情報を含む開始前先読みコマンドを，演出制御手段へと送信する
・・・
【００１８】
　ここで，前記特定決定情報に基づいて前記先読み予告を実行するか否かが決定された場合には，前記保留記憶手段に記憶された権利のうちに前記
特定遊技結果とする旨が決定される権利が含まれているか否かが先読み予告される
（ウ）「【００２１】
　ここで，
　前記
遊技制御手段が，
特定遊技結果とする旨を決定する確率を通常遊技状態よりも高くする確率変動状態
に遊技状態を制御する確率変動状態制御手段
を
備える
　前記特定先読み予告決定手段は，前記先読み情報に含まれる前記特定決定情報に基づいて，前記先読み予告を実行するか否かを決定し，
　前記非特定先読み予告決定手段は，前記先読み情報に含まれる前記変動選択情報に基づいて，前記先読み予告を実行するか否かを決定するものとすることが好ましい。
【００２２】
　なお，前記確率変動状態制御手段は，該特定遊技状態の終了からの変動表示の実行回数が特定回数（９回または１０回）となるまで，前記確率変動状態に制御するものとすることができる。
　この場合において，前記特定回数は，前記所定数以上であることが好ましい。
・・・
【００２５】
　上記遊技機において，
　前記開始前コマンド送信手段は，前記始動条件が成立したときに，該始動条件の成立までで前記保留記憶手段に記憶された権利の数を含む
開始前権利数コマンド
始動入賞コマンドＡ１０１，始動入賞コマンドＢ１０２
　前記演出制御手段は，
　　前記開始前権利数コマンドと前記
開始前先読みコマンド
　　前記受信間隔判定手段により前記所定の時間以内の間隔で受信していないと判定されたときに，前記開始前先読みコマンドに含まれる先読み情報に基づいて前記先読み予告決定手段が先読み予告を実行する旨を決定することを禁止する先読み予告禁止手段とをさらに備えるものとすることができる（始動入賞コマンドＡ１０１または始動入賞コマンドＢ１０２の受信から所定時間以内に
始動入賞コマンドＣ１０３
（エ）「【００３８】
　上記遊技機は，
　前記始動条件が成立したときに，所定の数値範囲内で所定の数値データを更新する数値データ更新手段から，前記識別情報の変動表示が停止されるまでに前記変動表示装置において行われる
識別情報の変動パターンを選択するための変動パターン決定用数値データ
とを含む数値データ
　前記始動条件が成立したときに，前記変動表示装置での変動表示を行う権利を所定数まで記憶する手段であって，前記数値データ抽出手段により抽出された数値データ
を該権利として記憶する保留記憶手段
　前記特定決定手段の決定結果と，前記識別情報の変動表示が開始されるときに前記保留記憶手段に記憶されている権利の数と，前記数値データ抽出手段により抽出された前記変動パターン決定用数値データの値とに基づいて（ハズレ変動パターンを選択する乱数の範囲は，変動表示の開始時の保留記憶数が２以下か３以上かで異なる：図４），前記変動パターン（変動パターン）を決定する変動パターン選択手段（表示制御基板８０の表示制御用ＣＰＵ）とをさらに備え，
　前記保留記憶手段は，前記数値データ抽出手段により抽出された数値データを，前記変動表示装置での変動表示を行う権利として記憶するものとしてもよい（ＲＡＭ５５の保留記憶バッファには，始動入賞時に抽出した各種乱数を格納）。この場合において，
　前記特定変動パターンに対応した判定値は，前記識別情報の変動表示が開始されるときに前記保留記憶手段に記憶されている権利の数に関わらずに，同一判定値が設定され（スーパーリーチの変動パターンを選択する乱数の範囲は，保留記憶数が２以下のときも３以上のときも同じ：図４），
　前記特定変動パターンと異なる非特定変動パターンに対応した判定値は，前記識別情報の変動表示が開始されるときに前記保留記憶手段に記憶されている権利の数に応じて異なる判定値が設定されたものとすることができる（非リーチハズレ，ノーマルリーチハズレの変動パターンを選択する乱数の範囲は，保留記憶数が２以下のときと３以上のときとで異なる：図４）。」
（オ）「【００６２】
　可変表示装置９の表示領域のうちの下部の表示領域に，始動入賞口１４ａ，１４ｂに遊技球が入り始動条件が成立したが未だ特別図柄表示器１０ａ，１０ｂの
開始条件
が成立していない始動条件の成立回数として
記憶された保留記憶
（カ）「【０１１１】
　一方，大当たり遊技状態が終了した後の９回目または１０回目（大当たりの種別による），すなわち確率変動状態に制御されるラスト１回の変動表示では，ラストチャンス演出が実行されるものとなっている。このラストチャンス演出を実行する時間を確保するため，確率変動状態のラスト１回の変動表示では，決定された変動パターンの種別に関わらずに，必ず１８秒以上の変動時間を要し，最初の飾り図柄の変動停止が８秒以降となる変動パターンだけが選択されるように変動パターンの振り分けがなされている。
【０１１２】
　また，
確率変動状態に制御されるラスト１回の変動表示における選択で振り分けられる変動パターンには，確率変動状態に制御されるラスト１回以外の変動表示における選択では振り分けられることのない変動パターンが含まれている
（キ）「【０１１５】
　前述したとおり，特別図柄表示器１０ａ，１０ｂにおいて特別図柄が変動表示されるときにおいては，可変表示装置９において飾り図柄が変動表示される。特別図柄表示器１０ａ，１０ｂにおける特別図柄の
変動表示は，開始条件の成立によって
開始される
（ク）「【０１２０】
　そこで，この実施の形態にかかる
パチンコ遊技機１
【０１２１】
　飾り図柄の変動表示が行われている間に実行される
先読み予告演出は，先読み予告演出の対象となる変動表示の始動入賞後，開始条件の成立前に
行われる
（ケ）「【０１５８】
　また，始動入賞コマンドの生成や送受信における異常が発生していないと考えられる場合や，始動入賞コマンドを受信した時点で確率変動状態に制御されていないときであっても，先に受信した始動入賞コマンドに対応した変動表示（すなわち，
保留記憶されている変動表示
に，
大当たりとなることが決定される変動表示が含まれている場合には，
受信した始動入賞コマンドに対応した変動表示を，
先読み予告演出の対象としない
（コ）上記（ア）の【請求項１】には，複数種類の識別情報を変動表示させ，遊技者にとって有利な特定遊技状態に制御する遊技機，上記（キ）の段落【０１１５】には，変動表示は，開始条件の成立によって開始されること，上記（ク）の段落【０１２０】には，パチンコ遊技機１，とが記載されていることから，刊行物には，
開始条件の成立によって識別情報の変動表示が開始され，遊技者にとって有利な特定遊技状態に制御するパチンコ遊技機１
（サ）上記（ア）の【請求項１】には，変動表示を行う権利を所定数まで記憶する保留記憶手段，上記（エ）の段落【００３８】には，識別情報の変動パターンを選択するための変動パターン決定用数値データとを含む数値データを該権利として記憶する保留記憶手段，上記（オ）の段落【００６２】には，保留記憶は，開始条件が成立していない始動条件の成立回数として記憶されること，とが記載されており，刊行物には，
開始条件が成立していない変動表示の識別情報の変動パターンを選択するための変動パターン決定用数値データとを含む数値データを，変動表示を行う権利として記憶する保留記憶手段
（シ）上記（ア）の【請求項１】には，変動表示における結果を先読み予告するのに必要な所定の先読み情報を含む開始前先読みコマンドを送信する開始前コマンド送信手段，上記（イ）の段落【００１２】には，変動表示を行う権利が保留記憶手段に保留記憶されるが，このときに先読み情報を含む開始前先読みコマンドを演出制御手段へと送信すること，上記（オ）の段落【００６２】には，保留記憶は開始条件が成立していない始動条件の成立回数として記憶されること，とが記載されており，開始条件が成立していないときは，開始条件が成立する前であることは自明であるから，刊行物には，
開始条件が成立する前に，変動表示における結果を先読み予告するのに必要な所定の先読み情報を含む開始前先読みコマンドを送信する開始前コマンド送信手段
（ス）上記（ア）の【請求項１】には，先読み情報に対応した変動表示における結果を先読み予告する特定先読み予告実行手段，上記（イ）の段落【００１８】には，特定遊技結果とする旨が決定される権利が含まれているか否かが先読み予告されること，上記（ク）の段落【０１２１】には，先読み予告演出は，先読み予告演出の対象となる変動表示の始動入賞後，開始条件の成立前に行われること，とが記載されていることから，刊行物には，
開始前先読みコマンドが示す先読み情報に対応した変動表示における結果が特定遊技結果か否かを，当該変動表示の開始条件の成立前に先読み予告する特定先読み予告実行手段
（セ）上記（ア）の【請求項３】には，開始前コマンド送信手段は，開始前権利数コマンドと，前記開始前先読みコマンドとを，それぞれ別個のコマンドとして順次送信し，演出制御手段は，前記開始前権利数コマンドと前記開始前先読みコマンドとが所定の時間以内の間隔で受信していないと判定されたときに，前記開始前先読みコマンドに含まれる先読み情報に基づいて前記先読み予告決定手段が先読み予告を実行する旨を決定することを禁止する先読み予告禁止手段を備えること，が記載されている。そして，開始前権利数コマンドと開始前先読みコマンドとが所定の時間以内の間隔で受信していないと判定されたときとは，開始前先読みコマンドを正常に受信していないと判定したときであるといえるから，刊行物には，
開始前先読みコマンドを正常に受信していないと判定したときに，前記開始前先読みコマンドに含まれる先読み情報に基づいて前記先読み予告決定手段が先読み予告を実行する旨を決定することを禁止する先読み予告禁止手段
（ソ）上記（ウ）の段落【００２５】には，開始前先読みコマンドは，始動入賞コマンドＣ１０３に対応すること，上記（ケ）の段落【０１５８】には，保留記憶されている変動表示に大当たりとなることが決定される変動表示が含まれている場合には，受信した始動入賞コマンドに対応した変動表示を先読み予告演出の対象としないこと，とが記載されていることから，刊行物には，
保留記憶されている変動表示に大当たりとなることが決定される変動表示が含まれている場合には，受信した開始前先読みコマンドに対応した変動表示を先読み予告演出の対象としない
　上記の記載事項（ア）〜（ケ），及び上記の認定事項（コ）〜（ソ）から，刊行物には，次の発明（以下，「引用発明」という。）が記載されていると認められる。
「開始条件の成立によって識別情報の変動表示が開始され，遊技者にとって有利な特定遊技状態に制御するパチンコ遊技機１であって，
　遊技の進行を制御する遊技制御手段と，
　前記遊技制御手段から送信されたコマンドを受信し，演出の実行を，該受信したコマンドに基づいて制御する演出制御手段とを備え，
　前記遊技制御手段は，
　識別情報の変動パターンを選択する変動パターン選択手段と，
　開始条件が成立していない変動表示の識別情報の変動パターンを選択するための変動パターン決定用数値データとを含む数値データを，変動表示を行う権利として記憶する保留記憶手段と
　開始条件が成立する前に，変動表示における結果を先読み予告するのに必要な所定の先読み情報を含む開始前先読みコマンドを送信する開始前コマンド送信手段と，
　特定遊技結果とする旨を決定する確率を通常遊技状態よりも高くする確率変動状態に遊技状態を制御する確率変動状態制御手段と，を備え，
　確率変動状態に制御されるラスト１回の変動表示における選択で振り分けられる変動パターンには，確率変動状態に制御されるラスト１回以外の変動表示における選択では振り分けられることのない変動パターンが含まれており，
　前記演出制御手段は，
　開始前先読みコマンドが示す先読み情報に対応した変動表示における結果が特定遊技結果か否かを，当該変動表示の開始条件の成立前に先読み予告する特定先読み予告実行手段と，
　開始前先読みコマンドを正常に受信していないと判定したときに，前記開始前先読みコマンドに含まれる先読み情報に基づいて前記先読み予告決定手段が先読み予告を実行する旨を決定することを禁止する先読み予告禁止手段と，を備え，
　保留記憶されている変動表示に大当たりとなることが決定される変動表示が含まれている場合には，受信した開始前先読みコマンドに対応した変動表示を先読み予告演出の対象としない，
　パチンコ遊技機１。」
（２）対比
　本願補正発明と引用発明とを対比する。
（ａ）引用発明の「開始条件」，「識別情報の変動表示」，「特定遊技状態」及び「パチンコ遊技機１」は，それぞれ本願補正発明の「開始条件」，「可変表示」，「有利状態」及び「遊技機」に相当する。
　したがって，引用発明の「開始条件の成立によって識別情報の変動表示が開始され，遊技者にとって有利な特定遊技状態に制御するパチンコ遊技機１」は，本願補正発明の「開始条件の成立に基づいて可変表示を行い，遊技者にとって有利な有利状態に制御可能な遊技機」に相当する。
（ｂ）引用発明の「遊技の進行を制御する遊技制御手段」は，本願補正発明の「前記遊技機における遊技を制御する遊技制御手段」に相当する。
（ｃ）引用発明の「コマンド」及び「演出」は，それぞれ本願補正発明の「情報」及び「演出」に相当する。
　このことから，引用発明の「前記遊技制御手段から送信されたコマンドを受信し，演出の実行を，該受信したコマンドに基づいて制御する演出制御手段」は，本願補正発明の「前記遊技制御手段からの情報に基づいて演出を制御する演出制御手段」に相当する。
（ｄ）引用発明の「変動パターン」は，本願補正発明の「可変表示パターン」に相当する。
　そして，引用発明の変動パターンを「選択する」ことは，変動パターンを選択して決定することに他ならないから，引用発明の「識別情報の変動パターンを選択する変動パターン選択手段」は，本願補正発明の「前記可変表示の可変表示パターンを決定する可変表示パターン決定手段」に相当する。
（ｅ）引用発明の「開始条件が成立していない変動表示」，「識別情報の変動パターンを選択するための変動パターン決定用数値データとを含む数値データ」及び「変動表示を行う権利」は，それぞれ本願補正発明の「前記開始条件が成立していない前記可変表示」，「（前記可変表示に）関する情報」及び「保留記憶」に相当する。
　したがって，引用発明の「開始条件が成立していない変動表示の識別情報の変動パターンを選択するための変動パターン決定用数値データとを含む数値データを，変動表示を行う権利として記憶する保留記憶手段」は，本願補正発明の「前記開始条件が成立していない前記可変表示に関する情報を保留記憶として記憶する保留記憶手段」に相当する。
（ｆ）引用発明の「変動表示における結果を先読み予告するのに必要な所定の先読み情報を含む開始前先読みコマンド」は，本願補正発明の「前記可変表示に関する開始前情報」に相当する。
　このことから，引用発明の「開始条件が成立する前に，変動表示における結果を先読み予告するのに必要な所定の先読み情報を含む開始前先読みコマンドを送信する開始前コマンド送信手段」は，本願補正発明の「前記開始条件が成立する以前に，前記可変表示に関する開始前情報を出力する開始前情報出力手段」に相当する。
（ｇ）引用発明の「通常遊技状態」及び「確率変動状態」は，それぞれ本願補正発明の「通常状態」及び「特別状態」に相当するから，引用発明の「特定遊技結果とする旨を決定する確率を通常遊技状態よりも高くする確率変動状態に遊技状態を制御する確率変動状態制御手段」は，本願補正発明の「通常状態よりも前記有利状態に制御され易い特別状態に制御可能な状態制御手段」に相当する。
（ｈ）引用発明の「確率変動状態に制御されるラスト１回の変動表示」及び「確率変動状態に制御されるラスト１回以外の変動表示」は，それぞれ本願補正発明の「特別状態が終了するとき」の「可変表示」及び「特別状態が終了しないとき」の「可変表示」に相当する。
　そして，引用発明の「確率変動状態に制御されるラスト１回以外の変動表示における選択では振り分けられることのない変動パターン」は，本願補正発明の「前記特別状態が終了しないときとは異なる可変表示パターン」に相当する。
　以上より，引用発明の「確率変動状態に制御されるラスト１回の変動表示における選択で振り分けられる変動パターンには，確率変動状態に制御されるラスト１回以外の変動表示における選択では振り分けられることのない変動パターンが含まれ」ることは，当該ラスト１回の変動表示において，当該ラスト１回以外の変動表示で選択される変動パターンとは異なる変動パターンに決定可能であることに他ならないから，本願補正発明の「前記可変表示パターン決定手段は，前記特別状態が終了するときに，前記特別状態が終了しないときとは異なる可変表示パターンに決定可能であ」ることに相当する。
（ｉ）引用発明の「特定遊技結果か否か」及び「変動表示の開始条件の成立前」は，それぞれ本願補正発明の「所定の状態となる可能性」及び「該可変表示の前記開始条件が成立する以前」に相当する。
　したがって，引用発明の「開始前先読みコマンドが示す先読み情報に対応した変動表示における結果が特定遊技結果か否かを，当該変動表示の開始条件の成立前に先読み予告する特定先読み予告実行手」は，本願補正発明の「前記開始前情報に基づいて，該開始前情報に対応した前記可変表示が所定の状態となる可能性を予告する予告演出を，該可変表示の前記開始条件が成立する以前に実行する予告演出実行手段」に相当する。
（ｊ）引用発明の「正常に受信していないと判定したとき」は，本願補正発明の「正常に入力することができなかった場合」に相当する。
　そして，引用発明の「先読み予告を実行する旨を決定することを禁止する」ことは，先読み予告の実行を制限されているといえることから，本願補正発明の「前記予告演出を制限する」ことに相当することは明らかである。
　したがって，引用発明の「開始前先読みコマンドを正常に受信していないと判定したときに，前記開始前先読みコマンドに含まれる先読み情報に基づいて前記先読み予告決定手段が先読み予告を実行する旨を決定することを禁止する先読み予告禁止手段」は，本願補正発明の「前記開始前情報を正常に入力することができなかった場合に，前記予告演出を制限する予告演出制限手段」に相当するといえる。
（ｋ）本願補正発明の「前記有利状態に制御されるときに前記予告演出を制限可能である」との記載について，予告演出が該可変表示の前記開始条件が成立する以前に実行することに基づけば，該可変表示の開始条件が成立する以前に「有利状態に制御されるとき」に，該可変表示の「予告演出を制限可能である」といえる。
　このことから，引用発明の「保留記憶されている変動表示に大当たりとなることが決定される変動表示が含まれている場合」は，本願補正発明の該可変表示の開始条件が成立する以前に「有利状態に制御されるとき」に相当する。
　そして，引用発明の「受信した開始前先読みコマンドに対応した変動表示を先読み予告演出の対象としない」ことは，先読み予告の実行を制限されているといえることから，本願補正発明の「前記予告演出を制限可能であること」に相当することは，明らかである。
　したがって，引用発明の「保留記憶されている変動表示に大当たりとなることが決定される変動表示が含まれている場合には，受信した開始前先読みコマンドに対応した変動表示を先読み予告演出の対象としない」ことは，本願補正発明の「前記有利状態に制御されるときに前記予告演出を制限可能であること」に相当するといえる。
　なお，仮に，本願補正発明の「前記有利状態に制御されるとき」が，現在の遊技状態が有利状態（大当り中の状態）であるときを指し示したとしても，本件出願遡及日前に遊技機の分野において，大当り遊技中に予告演出が行われない構成は，例示するまでもない周知慣用技術にすぎない。
（ｌ）引用発明の「パチンコ遊技機１」は，本願補正発明の「遊技機」に相当する。
　以上，上記（ａ）から（ｌ）により，本願補正発明と引用発明とは，
「開始条件の成立に基づいて可変表示を行い，遊技者にとって有利な有利状態に制御可能な遊技機であって，
　前記遊技機における遊技を制御する遊技制御手段と，
　前記遊技制御手段からの情報に基づいて演出を制御する演出制御手段と，を備え，
　前記遊技制御手段は，
　前記可変表示の可変表示パターンを決定する可変表示パターン決定手段と，
　前記開始条件が成立していない前記可変表示に関する情報を保留記憶として記憶する保留記憶手段と，
　前記開始条件が成立する以前に，前記可変表示に関する開始前情報を出力する開始前情報出力手段と，
　通常状態よりも前記有利状態に制御され易い特別状態に制御可能な状態制御手段と，を含み，
　前記可変表示パターン決定手段は，前記特別状態が終了するときに，前記特別状態が終了しないときとは異なる可変表示パターンに決定可能であり，
　前記演出制御手段は，
　前記開始前情報に基づいて，該開始前情報に対応した前記可変表示が所定の状態となる可能性を予告する予告演出を，該可変表示の前記開始条件が成立する以前に実行する予告演出実行手段と，
　前記開始前情報を正常に入力することができなかった場合に，前記予告演出を制限する予告演出制限手段と，を含み，
　前記有利状態に制御されるときに前記予告演出を制限可能であることを特徴とする遊技機。」
　である点で一致し，相違点はない。
（３）審判請求人の主張について
　審判請求書において，請求人は，原査定の拒絶の理由に引用された引用文献１（刊行物）との対比において，「引用文献１には，始動入賞コマンドにより示される保留記憶数が，正常な数を示すものでないときに，先読み予告演出の実行を禁止するとの記載がある一方で，単に大当り遊技状態に制御されるときに先読み予告演出の実行を禁止するような構成は開示されておりません。」（第４頁第６〜９行）と主張している。
　しかしながら，上記（２）（ｋ）で検討したとおり，本願補正発明の「前記有利状態に制御されるときに前記予告演出を制限可能である」とは，当該可変表示の開始条件が成立する以前に「有利状態に制御されるとき」に，当該可変表示の「予告演出を制限可能である」といえることから，引用文献１には，当該可変表示の開始条件が成立する以前に大当り遊技状態に制御されるときに先読み予告演出の実行を禁止する構成が記載されているものである。
　また仮に，本願補正発明の「前記有利状態に制御されるとき」が，現在の遊技状態が有利状態（大当り中の状態）であるときを指し示したとしても，本件出願遡及日前に遊技機の分野において，大当り遊技中に予告演出が行われない構成は，例示するまでもない周知慣用技術にすぎない。
　したがって，請求人の主張は採用できない。
（４）まとめ
　したがって，本願補正発明は，刊行物に記載された発明であるので，特許法第２９条第１項第３号の規定に基づいて特許出願の際独立して特許を受けることができない。
４．むすび
　よって，本件補正は，特許法第１７条の２第５項及び第６項において準用する同法第１２６条第７項の規定に違反するので，同法第１５９条第１項において読み替えて準用する同法第５３条第１項の規定により却下すべきものである。
第３　本願発明
　本件補正は，上記のとおり却下されることとなったので，本願の請求項１〜３に係る発明は，平成２７年９月３０日付け手続補正書により補正された特許請求の範囲の請求項１〜３に記載された事項により特定されるとおりのものであるところ，その請求項１に係る発明（以下，「本願発明」という。）は，上記「第２［理由］１．本件補正の概要」に本件補正前の請求項１として記載したとおりのものである。
１．刊行物
　原査定の拒絶理由に引用された本願の出願遡及日前に頒布された刊行物の記載事項及び引用発明の認定については，上記「第２［理由］３．（１）刊行物に記載された事項」に記載したとおりである。
２．対比
　本願発明と引用発明とを対比する。
　本願発明は，上記「第２［理由］」で検討した本願補正発明に対し，「可変表示について」「記憶する」対象を「可変表示に関する情報」に具体的にする限定，及び，「演出制御手段」が「有利状態」に制御されるときに「予告演出」を制限可能であることにする限定を省くものである。
　そうすると，上記「第２［理由］３．（２）対比」において検討したように，本願発明と引用発明とは相違点はなく一致するといえる。
　したがって，本願発明は刊行物に記載された発明である。
４．むすび
　以上のとおり，本願発明は，刊行物に記載された発明であるので，特許法第２９条第１項第３号の規定により特許を受けることができないものである。
　したがって，その余の請求項について検討するまでもなく，本願は拒絶すべきものである。
　よって，結論のとおり審決する。